(57)【特許請求の範囲】
【請求項１】
送信側装置から伝送路を介して受信側装置へ送信される信号光を、前記受信側装置から前記伝送路へ励起光を入力することによってラマン増幅する伝送システムの制御回路において、
前記伝送路の状態変化による前記伝送路の光損失の変化量を検出する第１検出部と、
前記励起光の後方散乱光の量を検出する第２検出部と、
前記第１検出部によって検出された前記光損失の変化量と、前記第２検出部によって検出された後方散乱光の量と、に基づいて、前記受信側装置によって前記伝送路へ入力される前記励起光の強度を制御する制御部と、
を備え、
前記制御部は、前記光損失の変化量および前記後方散乱光の量の組み合わせと、前記組み合わせにおいて前記ラマン増幅による利得が所定の利得になる前記励起光の強度と、の関係を示す情報に基づいて前記励起光の強度を制御する、
ことを特徴とする制御回路。
【請求項２】
前記第１検出部によって検出された前記光損失の変化量と、前記第２検出部によって検出された後方散乱光の量と、に基づいて前記伝送路における前記状態変化が発生した位置を判定する判定部と、
前記判定部によって判定された位置を示す情報を出力する出力部と、
を備えることを特徴とする請求項１に記載の制御回路。
【請求項３】
前記第１検出部は、前記受信側装置によって前記伝送路へ入力された前記励起光の強度と、前記伝送路を通過して前記送信側装置へ入力された前記励起光の強度と、の差分に基づいて前記光損失の変化量を検出することを特徴とする請求項１または２に記載の制御回路。
【請求項４】
前記第１検出部は、第１時点における前記差分と、前記第１時点より後の第２時点における前記差分と、の差分に基づいて前記光損失の変化量を検出することを特徴とする請求項３に記載の制御回路。
【請求項５】
前記第２検出部は、前記伝送路から前記受信側装置へ入力された光のうちの前記励起光の波長成分の強度に基づいて前記後方散乱光の量を検出することを特徴とする請求項１〜４のいずれか一つに記載の制御回路。
【請求項６】
前記励起光は、波長が異なる複数の光を合波した光であることを特徴とする請求項１〜５のいずれか一つに記載の制御回路。
【請求項７】
送信側装置から伝送路を介して受信側装置へ送信される信号光を、前記受信側装置から前記伝送路へ励起光を入力することによってラマン増幅する伝送システムの制御方法において、
前記伝送路の状態変化による前記伝送路の光損失の変化量を検出し、
前記励起光の後方散乱光の量を検出し、
検出した前記光損失の変化量と、検出した前記後方散乱光の量と、に基づいて、前記受信側装置によって前記伝送路へ入力される前記励起光の強度を制御し、
前記励起光の強度を制御する際に、前記光損失の変化量および前記後方散乱光の量の組み合わせと、前記組み合わせにおいて前記ラマン増幅による利得が所定の利得になる前記励起光の強度と、の関係を示す情報に基づいて前記励起光の強度を制御する、
ことを特徴とする制御方法。
【請求項８】
伝送路を介して信号光を送信する送信側装置と、
前記送信側装置によって送信された信号光を受信し、前記伝送路へ励起光を入力することによって前記信号光をラマン増幅する受信側装置と、
前記伝送路の状態変化による前記伝送路の光損失の変化量と、前記励起光の後方散乱光の量と、に基づいて、前記受信側装置によって前記伝送路へ入力される前記励起光の強度を制御する制御回路と、
を含み、
前記制御回路は、前記光損失の変化量および前記後方散乱光の量の組み合わせと、前記組み合わせにおいて前記ラマン増幅による利得が所定の利得になる前記励起光の強度と、の関係を示す情報に基づいて前記励起光の強度を制御する、
ことを特徴とする伝送システム。
【発明の詳細な説明】
【技術分野】
【０００１】
本発明は、制御回路、制御方法および伝送システムに関する。
【背景技術】
【０００２】
従来、ＷＤＭ（Ｗａｖｅｌｅｎｇｔｈ  Ｄｉｖｉｓｉｏｎ  Ｍｕｌｔｉｐｌｅｘｉｎｇ：波長分割多重）伝送システムにおいて、広い波長帯域を一括して増幅できるＥＤＦＡ（Ｅｒｂｉｕｍ  Ｄｏｐｅｄ  Ｆｉｂｅｒ  Ａｍｐｌｉｆｉｅｒ：エルビウム添加ファイバ増幅器）が用いられている。
【０００３】
ＥＤＦＡを用いた伝送システムにおいては、ＥＤＦＡで発生するＡＳＥ（Ａｍｐｌｉｆｉｅｄ  Ｓｐｏｎｔａｎｅｏｕｓ  Ｅｍｉｓｓｉｏｎ：自然放出）光によるＯＳＮＲ（Ｏｐｔｉｃａｌ  Ｓｉｇｎａｌ  Ｎｏｉｓｅ  Ｒａｔｉｏ：光信号雑音比）の劣化が伝送性能のネックの一つになる。
【０００４】
光増幅器としては、ＥＤＦＡの他にラマン増幅器がある。ラマン増幅器は、ＥＤＦＡに比べて励起光変換効率が低いがＯＳＮＲの劣化が小さく、励起ＬＤ（Ｌａｓｅｒ  Ｄｉｏｄｅ：レーザダイオード）の低価格化にともなって近年普及している。また、ラマン増幅器において、広い波長帯域に対して平坦な利得を得るために、複数の異なる波長の励起光を伝送路に入力する技術が知られている。
【０００５】
ラマン増幅器におけるラマン利得は信号波長数や信号レベルにはほとんど依存しないため、伝送路の光損失（ロス）が変化しなければ、複数の波長を含む励起光のパワーを一定にすることにより平坦な利得波長特性が保持される。
【先行技術文献】
【特許文献】
【０００６】
【特許文献１】特開２００１−７７６８号公報
【特許文献２】特開平１０−７３８５２号公報
【発明の概要】
【発明が解決しようとする課題】
【０００７】
しかしながら、上述した従来技術では、伝送路のいずれかの位置においてファイバの曲げ等による光損失が発生すると、光損失が発生した位置に応じてラマン利得が変化し、ラマン利得の波長特性が変動するという問題がある。
【０００８】
本発明は、上述した従来技術による問題点を解消するため、ラマン利得の波長特性の変動を抑えることができる制御回路、制御方法および伝送システムを提供することを目的とする。
【課題を解決するための手段】
【０００９】
上述した課題を解決し、目的を達成するため、本発明の一側面によれば、送信側装置から伝送路を介して受信側装置へ送信される信号光を、前記受信側装置から前記伝送路へ励起光を入力することによってラマン増幅する伝送システムにおいて、前記伝送路の状態変化による前記伝送路の光損失の変化量を検出し、前記励起光の後方散乱光の量を検出し、検出した前記光損失の変化量と、検出した前記後方散乱光の量と、に基づいて、前記受信側装置によって前記伝送路へ入力される前記励起光の強度を制御する制御回路、制御方法および伝送システムが提案される。
【発明の効果】
【００１０】
本発明の一側面によれば、ラマン利得の波長特性の変動を抑えることができるという効果を奏する。
【図面の簡単な説明】
【００１１】
【図１−１】図１−１は、実施の形態１にかかる伝送システムの構成の一例を示す図である。
【図１−２】図１−２は、図１−１に示した伝送システムにおける光および電気信号の流れの一例を示す図である。
【図２】図２は、波長平均利得と利得偏差との関係の一例を示す図である。
【図３】図３は、波長と利得偏差と受信端ロス変化量との関係の一例を示す図である。
【図４】図４は、ロス位置と後方散乱量とロス変化量との関係の一例を示す図（その１）である。
【図５】図５は、ロス位置と後方散乱量とロス変化量との関係の一例を示す図（その２）である。
【図６】図６は、ロス位置と利得とロス変化量との関係の一例を示す図（その１）である。
【図７】図７は、ロス位置と利得とロス変化量との関係の一例を示す図（その２）である。
【図８】図８は、ロス位置と励起光パワーとロス変化量との関係の一例を示す図（その１）である。
【図９】図９は、ロス位置と励起光パワーとロス変化量との関係の一例を示す図（その２）である。
【図１０】図１０は、実施の形態１にかかる立ち上がり動作の一例を示すフローチャートである。
【図１１−１】図１１−１は、実施の形態２にかかる伝送システムの構成の一例を示す図である。
【図１１−２】図１１−２は、図１１−１に示した伝送システムにおける光および電気信号の流れの一例を示す図である。
【図１２】図１２は、実施の形態２にかかる立ち上がり動作の一例を示すフローチャートである。
【図１３−１】図１３−１は、実施の形態３にかかる伝送システムの構成の一例を示す図である。
【図１３−２】図１３−２は、図１３−１に示した伝送システムにおける光および電気信号の流れの一例を示す図である。
【図１４−１】図１４−１は、実施の形態４にかかる伝送システムの構成の一例を示す図である。
【図１４−２】図１４−２は、図１４−１に示した伝送システムにおける光および電気信号の流れの一例を示す図である。
【図１５】図１５は、後方散乱量と励起光パワーとロス変化量との関係の一例を示す図である。
【図１６】図１６は、実施の形態４にかかる立ち上がり動作の一例を示すフローチャートである。
【図１７−１】図１７−１は、実施の形態５にかかる伝送システムの構成の一例を示す図である。
【図１７−２】図１７−２は、図１７−１に示した伝送システムにおける光および電気信号の流れの一例を示す図である。
【図１８】図１８は、後方散乱変化量と励起光パワーとロス変化量との関係の一例を示す図である。
【図１９】図１９は、実施の形態５にかかる立ち上がり動作の一例を示すフローチャートである。
【発明を実施するための形態】
【００１２】
以下に添付図面を参照して、本発明にかかる制御回路、制御方法および伝送システムの実施の形態を詳細に説明する。
【００１３】
（実施の形態１）
図１−１は、実施の形態１にかかる伝送システムの構成の一例を示す図である。図１−２は、図１−１に示した伝送システムにおける光および電気信号の流れの一例を示す図である。図１−１，図１−２に示すように、伝送システム１００は、送信側装置１１０と、受信側装置１２０と、制御回路１３０と、を含んでいる。
【００１４】
送信側装置１１０は、伝送路１０１を介して、受信側装置１２０へ信号光を送信する。伝送路１０１は、たとえばＳＭＦ（Ｓｉｎｇｌｅ  Ｍｏｄｅ  Ｆｉｂｅｒ：シングルモードファイバ）などの光ファイバである。
【００１５】
送信側装置１１０は、たとえば電気信号を信号光に変換して送信する光送信装置である。または、送信側装置１１０は、他の光通信装置から送信された信号光を光のまま送信する光中継装置であってもよい。受信側装置１２０は、たとえば信号光を受信して電気信号に変換する光受信装置である。または、受信側装置１２０は、信号光を受信して光のまま他の光通信装置へ送信する光中継装置であってもよい。
【００１６】
制御回路１３０は、送信側装置１１０から受信側装置１２０へ送信される信号光のラマン増幅を制御する回路である。制御回路１３０は、送信側装置１１０または受信側装置１２０に設けられていてもよいし、送信側装置１１０および受信側装置１２０とは異なる装置に設けられていてもよい。また、制御回路１３０の各機能部は、互いに通信可能な複数の装置に分散して設けられていてもよい。
【００１７】
＜送信側装置＞
送信側装置１１０は、分岐カプラ１１１と、ＰＤ１１２と、を備えている。分岐カプラ１１１には、送信側装置１１０から受信側装置１２０へ送信すべき信号光が入力される。分岐カプラ１１１は、入力された信号光を伝送路１０１へ出力する。分岐カプラ１１１から伝送路１０１へ出力された信号光は、伝送路１０１を通過して受信側装置１２０へ送信される。また、分岐カプラ１１１は、伝送路１０１から出力された励起光を分岐してＰＤ１１２へ出力する。
【００１８】
ＰＤ１１２（Ｐｈｏｔｏ  Ｄｅｔｅｃｔｏｒ）は、分岐カプラ１１１から出力された励起光を受光し、受光した励起光のパワー（強度）を示す信号（電気信号）を制御回路１３０へ出力する。なお、送信側装置１１０の分岐カプラ１１１に代えて光サーキュレータを設けてもよい。送信側装置１１０の光サーキュレータは、入力された信号光を伝送路１０１へ出力するとともに、伝送路１０１から出力された励起光をＰＤ１１２へ出力する。また、送信側装置１１０の分岐カプラ１１１に代えて、励起光波長のみをＰＤ１１２へ出力するＷＤＭカプラを設けてもよい。
【００１９】
＜受信側装置＞
受信側装置１２０は、ＬＤ１２１，１２２と、合波器１２３と、分岐カプラ１２４と、合分波器１２５と、ＰＤ１２６と、を備えている。ＬＤ１２１，１２２は、それぞれ波長λｐ１，λｐ２（λｐ１≠λｐ２）の励起光を合波器１２３へ出力する。ＬＤ１２１，１２２が出力する各励起光のパワーは制御回路１３０によって制御される。
【００２０】
合波器１２３は、ＬＤ１２１，１２２から出力された各励起光を合波し、合波した励起光を分岐カプラ１２４へ出力する。分岐カプラ１２４は、合波器１２３から出力された励起光を合分波器１２５へ出力する。また、分岐カプラ１２４は、合分波器１２５から出力された後方散乱光を分岐してＰＤ１２６へ出力する。なお、受信側装置１２０の分岐カプラ１２４に代えて光サーキュレータを設けてもよい。受信側装置１２０の光サーキュレータは、合波器１２３から出力された励起光を合分波器１２５へ出力し、合分波器１２５から出力された後方散乱光をＰＤ１２６へ出力する。
【００２１】
合分波器１２５は、分岐カプラ１２４から出力された励起光を伝送路１０１へ出力する。合分波器１２５から伝送路１０１へ出力された励起光は、伝送路１０１を通過して送信側装置１１０へ送信される。これにより、信号光と励起光とが逆方向に伝送路１０１を通過することによる誘導ラマン散乱（Ｓｔｉｍｕｌａｔｅｄ  Ｒａｍａｎ  Ｓｃａｔｔｅｒｉｎｇ：ＳＲＳ）によって信号光が増幅される。
【００２２】
また、励起光を伝送路１０１へ入力することにより、伝送路１０１においてレイリー散乱による後方散乱光が発生する。伝送路１０１において発生した後方散乱光は合分波器１２５へ出力される。また、合分波器１２５は、伝送路１０１から出力された光を、送信側装置１１０からの信号光と、励起光の後方散乱光と、に分波（波長多重分離）する。合分波器１２５は、分波した信号光を後段へ出力する。また、合分波器１２５は、分波した後方散乱光を分岐カプラ１２４へ出力する。
【００２３】
ＰＤ１２６は、分岐カプラ１２４から出力された後方散乱光を受光し、受光した後方散乱光のパワーを示す信号（電気信号）を制御回路１３０へ出力する。
【００２４】
＜制御回路＞
制御回路１３０は、ロス検出回路１３１（第１検出部）と、初期値記憶部１３２と、後方散乱検出回路１３３（第２検出部）と、関係情報記憶部１３５と、ロス位置判定回路１３６（判定部）と、関係情報記憶部１３７と、励起光パワー制御回路１３８（制御部）と、を備えている。制御回路１３０は、たとえば、ＦＰＧＡ（Ｆｉｅｌｄ  Ｐｒｏｇｒａｍｍａｂｌｅ  Ｇａｔｅ  Ａｒｒａｙ）やＣＰＵ（Ｃｅｎｔｒａｌ  Ｐｒｏｃｅｓｓｉｎｇ  Ｕｎｉｔ：中央処理装置）およびファームウェアなどによって実現することができる。
【００２５】
ロス検出回路１３１は、伝送路１０１における励起光のロス量を検出する。具体的には、ロス検出回路１３１は、ＬＤ１２１，１２２から出力されている各励起光の合計パワーを示す励起光パワー情報を励起光パワー制御回路１３８から取得する。また、ロス検出回路１３１は、ＰＤ１１２から出力された信号が示す励起光のパワーと、励起光パワー情報が示す励起光のパワーと、の差分を算出することにより、伝送路１０１における励起光のロス量を検出する。
【００２６】
また、ロス検出回路１３１は、伝送路１０１における励起光のロス量の初期値を示す情報を初期値記憶部１３２から取得する。そして、ロス検出回路１３１は、取得した情報が示すロス量の初期値と、検出したロス量と、の差分を算出することにより、伝送路１０１における励起光のロス量の初期値からの変化量（ロス変化量）を検出する。ロス検出回路１３１は、算出したロス変化量を示す情報をロス位置判定回路１３６および励起光パワー制御回路１３８へ出力する。
【００２７】
初期値記憶部１３２は、伝送路１０１における励起光のロス量の初期値を記憶する。たとえば、初期値記憶部１３２は、制御回路１３０の立ち上がり時にロス検出回路１３１によって検出されたロス量を記憶する。
【００２８】
後方散乱検出回路１３３は、伝送路１０１において発生した励起光の後方散乱量を検出する。具体的には、後方散乱検出回路１３３は、ＬＤ１２１，１２２から出力されている各励起光の合計パワーを示す励起光パワー情報を励起光パワー制御回路１３８から取得する。また、後方散乱検出回路１３３は、ＰＤ１２６から出力された信号が示す後方散乱光のパワーと、励起光パワー情報が示す励起光のパワーと、の差分を算出することにより後方散乱量を検出する。後方散乱検出回路１３３は、検出した後方散乱量を示す情報をロス位置判定回路１３６へ出力する。
【００２９】
関係情報記憶部１３５は、ロス変化量および後方散乱量の組み合わせと、伝送路１０１のうちの曲げ等によるロスが発生した位置（ロス位置）と、の関係を示す関係情報を記憶している。
【００３０】
ロス位置判定回路１３６は、関係情報記憶部１３５に記憶された関係情報と、ロス検出回路１３１からの情報が示すロス変化量と、後方散乱検出回路１３３からの情報が示す後方散乱量と、に基づいて、曲げ等によるロスが発生した位置を判定する。ロス位置判定回路１３６は、判定した位置を示す情報を励起光パワー制御回路１３８へ出力する。
【００３１】
関係情報記憶部１３７は、ロス変化量およびロス位置の組み合わせと、ラマン利得を一定値に保つための励起光パワーと、の関係を示す関係情報を記憶している。励起光パワーは、たとえばＬＤ１２１，１２２から出力される励起光の合計パワーである。
【００３２】
励起光パワー制御回路１３８は、関係情報記憶部１３７に記憶された関係情報と、ロス検出回路１３１からの情報が示すロス変化量と、ロス位置判定回路１３６からの情報が示すロス位置と、に基づいて励起光パワーを導出する。励起光パワー制御回路１３８は、導出した励起光パワーを示す励起光パワー情報をロス検出回路１３１および後方散乱検出回路１３３へ出力する。
【００３３】
また、励起光パワー制御回路１３８は、ＬＤ１２１，１２２から出力される励起光の合計パワーが導出した励起光パワーになるように、ＬＤ１２１，１２２が出力する各励起光のパワーを制御する。たとえば、励起光パワー制御回路１３８は、ＬＤ１２１，１２２が出力する各励起光のパワーを、所定の比率（たとえば１：１）に維持しつつ、合計パワーが導出したパワーとなるように制御する。
【００３４】
このように、伝送システム１００は、送信側装置１１０から伝送路１０１を介して受信側装置１２０へ送信される信号光を、受信側装置１２０から伝送路１０１へ励起光を入力することによってラマン増幅する伝送システムである。また、励起光は、波長が異なる複数の光（波長λｐ１，λｐ２）を合波した光である。
【００３５】
制御回路１３０は、伝送路１０１の状態変化（たとえばファイバ曲げ）による伝送路１０１の光損失（ロス）の変化量を検出する。また、制御回路１３０は、励起光の後方散乱光の量を検出する。そして、制御回路１３０は、検出した光損失の変化量と、検出した後方散乱光の量と、に基づいて、受信側装置１２０によって伝送路１０１へ入力される励起光の強度を制御する。これにより、ファイバ曲げ等による光損失が伝送路１０１のいずれの位置で発生しても、ラマン利得の波長特性の変動を抑えることができる。
【００３６】
また、制御回路１３０は、受信側装置１２０によって伝送路１０１へ入力された励起光の強度（パワー）と、伝送路１０１を通過して送信側装置１１０へ入力された励起光の強度と、の差分に基づいて伝送路１０１の光損失を検出する。これにより、伝送路１０１の光損失の変化量を検出することができる。
【００３７】
具体的には、制御回路１３０は、第１時点（たとえば制御回路１３０の立ち上がり時）における光損失と、第１時点より後の第２時点（たとえば運用中の現時点）における光損失と、の差分に基づいて、伝送路１０１の状態変化による伝送路１０１の光損失の変化量を検出することができる。
【００３８】
また、制御回路１３０は、伝送路１０１から受信側装置１２０へ入力された光のうちの励起光の波長成分（波長λｐ１，λｐ２の成分）の強度に基づいて後方散乱光の量を検出することができる。
【００３９】
また、制御回路１３０は、光損失の変化量および後方散乱光の量（後方散乱量）の組み合わせと、ラマン増幅による利得が所定の利得になる励起光の強度（励起光パワー）と、の関係を間接的に示す関係情報に基づいて励起光の強度を制御する。これにより、ファイバ曲げ等による光損失が伝送路１０１のいずれの位置で発生しても、ラマン利得の波長特性の変動を抑えることができる。
【００４０】
図１−１，図１−２に示す例では、関係情報記憶部１３５，１３７に記憶された各関係情報によって、光損失の変化量および後方散乱光の量の組み合わせと、ラマン増幅による利得が所定の利得になる励起光の強度と、の関係を示す関係情報が実現されている。
【００４１】
図２は、波長平均利得と利得偏差との関係の一例を示す図である。図２において、横軸は波長平均利得［ｄＢ］を示し、縦軸は利得偏差［ｄＢ］を示している。利得偏差特性２００は、波長平均利得に対する利得偏差の特性の一例を示している。利得偏差特性２００に示すように、利得偏差は、波長平均利得が小さくなるほど大きくなる。したがって、ラマン利得が低下すると利得偏差が大きくなる。
【００４２】
図３は、波長と利得偏差と受信端ロス変化量との関係の一例を示す図である。図３において、横軸は波長［ｎｍ］を示し、縦軸は利得偏差［ｄＢ］を示している。利得偏差特性３０１〜３０３は、それぞれ伝送路１０１の受信端（受信側装置１２０）の付近における伝送路１０１の曲げ等によるロス変化量が０［ｄＢ］、０．５［ｄＢ］、１．０［ｄＢ］である場合の波長に対する利得偏差の特性の一例を示している。
【００４３】
伝送路１０１の受信端におけるロス変化量が０［ｄＢ］、すなわち伝送路１０１の受信端において曲げ等によるロスが発生していない場合は、利得偏差特性３０１に示すように、波長に対して利得偏差が一定になる。これに対して、伝送路１０１の受信端において曲げ等によるロスが発生すると、利得偏差特性３０２，３０３に示すように、波長に対して利得偏差が一定でなくなる。
【００４４】
一方、伝送路１０１の送信端（送信側装置１１０）の付近においては、励起光は、伝送路１０１のロスで減衰し、ラマン増幅が起こらないレベルまでパワーが低下している。このため、伝送路１０１の送信端の付近において伝送路１０１の曲げ等があっても、ラマン利得に対する影響は小さい。
【００４５】
図４，図５は、ロス位置と後方散乱量とロス変化量との関係の一例を示す図である。図４，図５の縦軸は後方散乱量［ｄＢ］を示している。
【００４６】
図４の横軸は、伝送路１０１における送信側装置１１０からの距離によってロス位置［ｋｍ］を示している。たとえば、横軸の０［ｋｍ］は送信端（送信側装置１１０）の位置を示している。また、たとえば伝送路１０１の長さを１００［ｋｍ］とすると、横軸の１００［ｋｍ］は受信端（受信側装置１２０）の位置を示している。図４の後方散乱量特性４０１〜４０３は、それぞれロス変化量が０［ｄＢ］、０．５［ｄＢ］、１．０［ｄＢ］である場合のロス位置に対する後方散乱量の特性の一例を示している。
【００４７】
図５の横軸はロス変化量［ｄＢ］を示している。図５の後方散乱量特性５０１〜５０４は、それぞれロス位置が０［ｋｍ］、６７［ｋｍ］、８３［ｋｍ］、１００［ｋｍ］である場合のロス変化量に対する後方散乱量の特性の一例を示している。
【００４８】
図４，図５に示すように、ロス位置が受信端に近づくほど後方散乱量が小さくなる。また、ロス変化量が大きくなるほど後方散乱量が小さくなる。したがって、ロス変化量および後方散乱量の組み合わせからロス位置が一意に求まる。
【００４９】
具体的には、図１−１，図１−２に示した関係情報記憶部１３５には、図４の後方散乱量特性４０１〜４０３または図５の後方散乱量特性５０１〜５０４を示す関係情報が、テーブルや関数として記憶される。これにより、ロス位置判定回路１３６は、ロス変化量および後方散乱量の組み合わせと、関係情報記憶部１３５に記憶された関係情報と、に基づいて、曲げ等によるロスが発生した位置を判定することができる。
【００５０】
図４の後方散乱量特性４０１〜４０３または図５の後方散乱量特性５０１〜５０４は、一般的なＳＭＦ（Ｓｉｎｇｌｅ  Ｍｏｄｅ  Ｆｉｂｅｒ：シングルモードファイバ）のレイリー散乱による後方散乱量である−７０［ｄＢ／ｍ］に基づいて求めることができる。
【００５１】
図６，図７は、ロス位置と利得とロス変化量との関係の一例を示す図である。図６，図７の縦軸は、ＬＤ１２１，１２２の各励起光のパワーを２０８［ｍＷ］とした場合の利得［ｄＢ］を示している。
【００５２】
図６の横軸はロス位置［ｋｍ］を示している。図６の利得特性６０１〜６０３は、それぞれロス変化量が０［ｄＢ］、０．５［ｄＢ］、１．０［ｄＢ］である場合のロス位置に対する利得の特性の一例を示している。図７の横軸はロス変化量［ｄＢ］を示している。図７の利得特性７０１〜７０４は、それぞれロス位置が０［ｋｍ］、６７［ｋｍ］、８３［ｋｍ］、１００［ｋｍ］である場合のロス変化量に対する利得の特性の一例を示している。図６，図７に示すように、ロス位置が受信端に近づくほど利得が小さくなる。また、ロス変化量が大きくなるほど利得が小さくなる。
【００５３】
図８，図９は、ロス位置と励起光パワーとロス変化量との関係の一例を示す図である。図８，図９の縦軸は、利得を一定（１４［ｄＢ］）にするための励起光パワー［ｍＷ］を示している。
【００５４】
図８の横軸はロス位置［ｋｍ］を示している。図８の励起光パワー８０１〜８０３は、それぞれロス変化量が０［ｄＢ］、０．５［ｄＢ］、１．０［ｄＢ］である場合のロス位置に対する励起光パワーを示している。励起光パワー８０１〜８０３は、図６に示した利得特性６０１〜６０３を補償するように、ロス位置が受信端に近づくほど大きくなる。
【００５５】
図９の横軸はロス変化量［ｄＢ］を示している。図９の励起光パワー９０１〜９０４は、それぞれロス位置が０［ｋｍ］、６７［ｋｍ］、８３［ｋｍ］、１００［ｋｍ］である場合のロス変化量に対する励起光パワーを示している。励起光パワー９０１〜９０４は、図７に示した利得特性７０１〜７０４を補償するように、ロス変化量が大きくなるほど大きくなる。
【００５６】
図８，図９に示すように、ロス位置が受信端に近づくほど、利得を一定にするための励起光パワーが大きくなる。また、ロス変化量が大きくなるほど、利得を一定にするための励起光パワーが大きくなる。したがって、ロス変化量およびロス位置の組み合わせから、利得を一定にするための励起光パワーが一意に求まる。
【００５７】
具体的には、図１−１，図１−２に示した関係情報記憶部１３７には、図８の励起光パワー８０１〜８０３または図９の励起光パワー９０１〜９０４を示す関係情報が、テーブルや関数として記憶される。これにより、励起光パワー制御回路１３８は、ロス変化量およびロス位置の組み合わせと、関係情報記憶部１３７に記憶された関係情報と、に基づいて、利得を一定にするための励起光パワーを導出することができる。
【００５８】
図８の励起光パワー８０１〜８０３または図９の励起光パワー９０１〜９０４は、ラマン増幅の増幅特性と、伝送路１０１のロス係数および伝送距離と、に基づいて求めることができる。
【００５９】
ラマン増幅の増幅特性については、たとえば、非特許文献（Ｈｏｗａｒｄ  Ｋｉｄｏｒｆ，Ｋａｒｓｔｅｎ  Ｒｏｔｔｗｉｔｔ，Ｍｏｒｔｅｎ  Ｎｉｓｓｏｖ，Ｍａｔｔｈｅｗ  Ｍａ，ａｎｄ  Ｅｒｉｃ  Ｒａｂａｒｉｊａｏｎａ、“Ｐｕｍｐ  Ｉｎｔｅｒａｃｔｉｏｎｓ  ｉｎ  ａ  １００−ｎｍ  Ｂａｎｄｗｉｄｔｈ  Ｒａｍａｎ  Ａｍｐｌｉｆｉｅｒ”、ＩＥＥＥ  ＰＨＯＴＯＮＩＣＳ  ＴＥＣＨＮＯＬＯＧＹ  ＬＥＴＴＥＲＳ、ＶＯＬ．１１、ＮＯ．５、１９９９年５月）に開示されている増幅特性を用いることができる。
【００６０】
図１０は、実施の形態１にかかる立ち上がり動作の一例を示すフローチャートである。実施の形態１にかかる制御回路１３０は、立ち上がり動作として、たとえば以下の各ステップを実行する。まず、励起光パワー制御回路１３８が、ＬＤ１２１，１２２の励起光パワーを所定の初期値に設定する（ステップＳ１００１）。
【００６１】
つぎに、ロス検出回路１３１が、ステップＳ１００１によって設定された励起光パワーとＰＤ１１２からの信号とに基づいて、伝送路１０１における励起光のロスの初期値を検出する（ステップＳ１００２）。つぎに、初期値記憶部１３２が、ステップＳ１００２によって検出されたロスの初期値を記憶する（ステップＳ１００３）。
【００６２】
つぎに、ロス検出回路１３１が、励起光のロス変化量の検出を開始する（ステップＳ１００４）。ロス変化量は、ステップＳ１００３によって記憶された初期値からの励起光のロスの変化量である。つぎに、後方散乱検出回路１３３が、ステップＳ１００１によって設定された励起光パワーとＰＤ１２６からの信号とに基づく後方散乱量の検出を開始する（ステップＳ１００５）。
【００６３】
つぎに、ロス位置判定回路１３６が、ステップＳ１００４によって開始されたロス変化量の検出の結果と、ステップＳ１００５によって開始された後方散乱量の検出の結果と、に基づくロス位置の判定を開始する（ステップＳ１００６）。
【００６４】
つぎに、励起光パワー制御回路１３８が、ＬＤ１２１，１２２の励起光パワーの制御を開始し（ステップＳ１００７）、一連の立ち上がり動作を終了する。具体的には、励起光パワー制御回路１３８は、ステップＳ１００４によって開始されたロス変化量の検出の結果と、ステップＳ１００６によって開始されたロス位置の判定の結果と、に基づいてＬＤ１２１，１２２の励起光パワーを制御する。
【００６５】
このように、実施の形態１にかかる制御回路１３０によれば、伝送路１０１のロス変化量と後方散乱量の組み合わせに基づいてファイバ曲げ等によるロス位置を判定し、判定したロス位置とロス変化量の組み合わせに基づいて励起光パワーを制御することができる。これにより、ファイバ曲げ等によるロスが伝送路１０１のいずれの位置で発生しても、ラマン利得の波長特性の変動を抑えることができる。たとえば、ラマン利得の波長特性を平坦な状態に維持することができる。
【００６６】
たとえば、伝送システム１００の運用中に、伝送路１０１のどこかで作業者が誤ってファイバを曲げてしまうことによる曲げ損失の発生が起こり得る。このとき、曲げ損失が受信端付近で発生すると励起光パワーが伝送路１０１に入る量が減ることによりラマン利得が低下し、図２，図３に示すように利得偏差が発生する。一方、曲げ損失が送信端付近で発生すると、励起光パワーは伝送路１０１のロスで十分減衰し、ラマン増幅が起こらないレベルまで低下し、曲げ損失の有無はラマン利得に影響しない。
【００６７】
すなわち、伝送路１０１のいずれかの位置においてファイバの曲げ等による光損失が発生すると、光損失が発生した位置に応じてラマン利得が変化する。これに対して、制御回路１３０によれば、ファイバ曲げ等によるロスが伝送路１０１のいずれの位置で発生しても、ラマン利得の波長特性の変動を抑えることができる。
【００６８】
ここで、制御回路１３０による励起光パワーの制御の一例を説明する。たとえば、伝送路１０１の種類がＤＳＦ（Ｄｉｓｐｅｒｓｉｏｎ  Ｓｈｉｆｔｅｄ  Ｆｉｂｅｒ：分散シフトファイバ）であるとする。また、伝送路１０１のロス係数（１［ｋｍ］当たりのロス）を０．３［ｄＢ／ｋｍ］とする。また、伝送路１０１の伝送距離を１００［ｋｍ］とする。また、送信側装置１１０から受信側装置１２０へ送信される信号光は、Ｌバンド帯域であり、５０［ＧＨｚ］間隔で８０波、送信端で−１［ｄＢｍ／ｃｈ］であるとする。また、ＬＤ１２１，１２２が出力する各励起光の波長はそれぞれ１４６３［ｎｍ］、１４９４［ｎｍ］であるとする。
【００６９】
また、初期状態において、信号光の波長において１４［ｄＢ］の利得を得るために、各励起光のパワーをそれぞれ２０８［ｍＷ］に設定したとする。そして、伝送路１０１の受信端において曲げ等による１．０［ｄＢ］のロスが発生したとする。まず、ロス検出回路１３１が、１．０［ｄＢ］のロス発生を検出する。
【００７０】
また、後方散乱検出回路１３３が、レイリー散乱による後方散乱量を検出する。励起光パワー２０８［ｍＷ］に対して、後方散乱光は０．０８９［ｍＷ］で観測され、後方散乱量は−３３．７［ｄＢ］であることが分かる。
【００７１】
ロス位置判定回路１３６は、ロス量の１．０［ｄＢ］と、後方散乱量の−３３．７［ｄＢ］と、関係情報記憶部１３５に記憶された関係情報（図４，図５参照）と、に基づいて、ロスの発生位置が受信端（０［ｋｍ］）であると判定することができる。
【００７２】
励起光パワー制御回路１３８は、ロスの発生位置の０［ｋｍ］と、ロス量の１．０［ｄＢ］と、関係情報記憶部１３７に記憶された関係情報（図８，図９参照）と、に基づいて、励起光パワーを２８６［ｍＷ］まで増加させる。これにより、ロス発生によって励起光が減衰することによる利得低下を補償することができる。
【００７３】
（実施の形態２）
図１１−１は、実施の形態２にかかる伝送システムの構成の一例を示す図である。図１１−２は、図１１−１に示した伝送システムにおける光および電気信号の流れの一例を示す図である。図１１−１，図１１−２において、図１−１，図１−２に示した部分と同様の部分については同一の符号を付して説明を省略する。
【００７４】
図１１−１，図１１−２に示すように、実施の形態２にかかる制御回路１３０は、図１−１，図１−２に示した構成に加えて初期値記憶部１３４を備えている。後方散乱検出回路１３３は、後方散乱量の初期値を示す情報を初期値記憶部１３４から取得する。そして、後方散乱検出回路１３３は、取得した情報が示す後方散乱量の初期値と、検出した後方散乱量と、の差分を算出することにより、後方散乱量の初期値からの変化量（後方散乱変化量）を検出する。後方散乱検出回路１３３は、検出した後方散乱変化量を示す情報をロス位置判定回路１３６へ出力する。
【００７５】
初期値記憶部１３４は、後方散乱量の初期値を記憶する。たとえば、初期値記憶部１３４は、制御回路１３０の立ち上がり時に後方散乱検出回路１３３によって検出された後方散乱量を記憶する。
【００７６】
関係情報記憶部１３５は、ロス変化量および後方散乱変化量の組み合わせと、伝送路１０１のうちの曲げ等によるロスが発生した位置と、の関係を示す関係情報を記憶している。ロス位置判定回路１３６は、関係情報記憶部１３５に記憶された関係情報と、ロス検出回路１３１からの情報が示すロス変化量と、後方散乱検出回路１３３からの情報が示す後方散乱変化量と、に基づいて曲げ等によるロスが発生した位置を判定する。
【００７７】
このように、検出した後方散乱量に基づく励起光パワーの制御は、過去に検出した後方散乱量から、現在において検出した後方散乱量への変化量に基づく励起光パワーの制御であってもよい。これにより、実施の形態１にかかる制御回路１３０と同様に、ファイバ曲げ等によるロス位置を判定することができる。
【００７８】
図１２は、実施の形態２にかかる立ち上がり動作の一例を示すフローチャートである。実施の形態２にかかる制御回路１３０は、立ち上がり動作として、たとえば以下の各ステップを実行する。まず、励起光パワー制御回路１３８が、ＬＤ１２１，１２２の励起光パワーを所定の初期値に設定する（ステップＳ１２０１）。
【００７９】
つぎに、ロス検出回路１３１が、ステップＳ１２０１によって設定された励起光パワーとＰＤ１１２からの信号とに基づいて、伝送路１０１における励起光のロスの初期値を検出する（ステップＳ１２０２）。つぎに、初期値記憶部１３２が、ステップＳ１２０２によって検出されたロスの初期値を記憶する（ステップＳ１２０３）。
【００８０】
つぎに、後方散乱検出回路１３３が、ステップＳ１２０１によって設定された励起光パワーとＰＤ１２６からの信号とに基づいて、後方散乱量の初期値を検出する（ステップＳ１２０４）。つぎに、初期値記憶部１３４が、ステップＳ１２０４によって検出された後方散乱量の初期値を記憶する（ステップＳ１２０５）。
【００８１】
つぎに、ロス検出回路１３１が、励起光のロス変化量の検出を開始する（ステップＳ１２０６）。ロス変化量は、ステップＳ１２０３によって記憶された初期値からの励起光のロスの変化量である。つぎに、後方散乱検出回路１３３が、後方散乱変化量の検出を開始する（ステップＳ１２０７）。後方散乱変化量は、ステップＳ１２０５によって記憶された初期値からの後方散乱量の変化量である。
【００８２】
つぎに、ロス位置判定回路１３６が、ステップＳ１２０６によって開始されたロス変化量の検出の結果と、ステップＳ１２０７によって開始された後方散乱変化量の検出の結果と、に基づくロス位置の判定を開始する（ステップＳ１２０８）。
【００８３】
つぎに、励起光パワー制御回路１３８が、ＬＤ１２１，１２２の励起光パワーの制御を開始し（ステップＳ１２０９）、一連の立ち上がり動作を終了する。具体的には、励起光パワー制御回路１３８は、ステップＳ１２０６によって開始されたロス変化量の検出の結果と、ステップＳ１２０８によって開始されたロス位置の判定の結果と、に基づいてＬＤ１２１，１２２の励起光パワーを制御する。
【００８４】
このように、実施の形態２にかかる制御回路１３０によれば、伝送路１０１のロス変化量と後方散乱変化量の組み合わせに基づいてロス位置を判定し、判定したロス位置とロス変化量の組み合わせに基づいて励起光パワーを制御することができる。これにより、ファイバ曲げ等によるロスが伝送路１０１のいずれの位置で発生しても、ラマン利得の波長特性の変動を抑えることができる。
【００８５】
（実施の形態３）
図１３−１は、実施の形態３にかかる伝送システムの構成の一例を示す図である。図１３−２は、図１３−１に示した伝送システムにおける光および電気信号の流れの一例を示す図である。図１３−１，図１３−２において、図１−１，図１−２に示した部分と同様の部分については同一の符号を付して説明を省略する。
【００８６】
図１３−１，図１３−２に示すように、実施の形態３にかかる制御回路１３０は、図１−１，図１−２に示した構成に加えて出力部１３３１を備えている。出力部１３３１は、ロス位置を示す情報をロス位置判定回路１３６から取得し、取得した情報を出力する。たとえば、出力部１３３１は、取得した情報を制御回路１３０のユーザに対して出力する。または、出力部１３３１は、取得した情報を他の通信装置へ送信してもよい。
【００８７】
これにより、伝送システム１００の保守者が、伝送路１０１において曲げ等によるロスが発生した位置を把握することができるため、伝送システム１００の保守を容易化することができる。なお、図１３−１，図１３−２に示した構成において、図１１−１，図１１−２に示したように、伝送路１０１のロス変化量と後方散乱変化量の組み合わせに基づいてロス位置を判定してもよい。
【００８８】
このように、実施の形態３にかかる制御回路１３０によれば、伝送路１０１のロス変化量と後方散乱量（後方散乱変化量）の組み合わせに基づいてロス位置を判定し、判定したロス位置を示す情報を出力することができる。これにより、伝送システム１００の保守を容易化することができる。
【００８９】
たとえば、制御回路１３０は、光損失の変化量および後方散乱光の量の組み合わせと、伝送路１０１における状態変化が発生した位置と、の関係を示す情報に基づいて伝送路１０１における状態変化が発生した位置を判定することができる。
【００９０】
（実施の形態４）
図１４−１は、実施の形態４にかかる伝送システムの構成の一例を示す図である。図１４−２は、図１４−１に示した伝送システムにおける光および電気信号の流れの一例を示す図である。図１４−１，図１４−２において、図１−１，図１−２に示した部分と同様の部分については同一の符号を付して説明を省略する。
【００９１】
図１４−１，図１４−２に示すように、制御回路１３０は、図１−１，図１−２に示した関係情報記憶部１３５およびロス位置判定回路１３６を省いた構成としてもよい。後方散乱検出回路１３３は、検出した後方散乱量を示す情報を励起光パワー制御回路１３８へ出力する。
【００９２】
関係情報記憶部１３７は、ロス変化量および後方散乱量の組み合わせと、ラマン利得を一定値に保つための励起光パワーと、の関係を示す関係情報を記憶している。励起光パワーは、たとえばＬＤ１２１，１２２から出力される励起光の合計パワーである。励起光パワー制御回路１３８は、関係情報記憶部１３７に記憶された関係情報と、ロス検出回路１３１からの情報が示すロス変化量と、後方散乱検出回路１３３からの情報が示す後方散乱量と、に基づいて励起光パワーを導出する。
【００９３】
このように、ロス変化量および後方散乱量の組み合わせと、ラマン利得を一定値に保つための励起光パワーと、の関係を示す関係情報を用いることにより、ロス位置を判定しなくても、利得が一定になる励起光パワーを導出することができる。
【００９４】
図１５は、後方散乱量と励起光パワーとロス変化量との関係の一例を示す図である。図１５の縦軸は、利得を１４［ｄＢ］とするための励起光パワー［ｍＷ］を示している。図１５の横軸は後方散乱量［ｄＢ］を示している。図１５の励起光パワー１５０１〜１５０３は、それぞれロス変化量が０［ｄＢ］、０．５［ｄＢ］、１．０［ｄＢ］である場合の後方散乱量に対する励起光パワーを示している。励起光パワー１５０１〜１５０３は、たとえば、図４に示した後方散乱量特性４０１〜４０３と、図８に示した励起光パワー８０１〜８０３と、から求めることができる。
【００９５】
図１３−１，図１３−２に示した関係情報記憶部１３７には、図１５の励起光パワー１５０１〜１５０３を示す関係情報が、テーブルや関数として記憶される。これにより、励起光パワー制御回路１３８は、ロス変化量および後方散乱量の組み合わせと、関係情報記憶部１３７に記憶された関係情報と、に基づいて、利得を一定にするための励起光パワーを導出することができる。
【００９６】
図１６は、実施の形態４にかかる立ち上がり動作の一例を示すフローチャートである。実施の形態４にかかる制御回路１３０は、立ち上がり動作として、たとえば以下の各ステップを実行する。図１６に示すステップＳ１６０１〜Ｓ１６０５は、図１０に示したステップＳ１００１〜Ｓ１００５と同様である。
【００９７】
ステップＳ１６０５のつぎに、励起光パワー制御回路１３８が、ＬＤ１２１，１２２の励起光パワーの制御を開始し（ステップＳ１６０６）、一連の立ち上がり動作を終了する。具体的には、励起光パワー制御回路１３８は、ステップＳ１６０４によって開始されたロス変化量の検出の結果と、ステップＳ１６０５によって開始された後方散乱量の検出の結果と、に基づいてＬＤ１２１，１２２の励起光パワーを制御する。
【００９８】
このように、実施の形態４にかかる制御回路１３０によれば、ロス変化量および後方散乱量の組み合わせと、励起光パワーと、の関係を直接示す関係情報を用いることにより、利得が一定になる励起光パワーを導出することができる。このため、ロス位置を判定しなくてもラマン利得の波長特性の変動を抑えることができるため、制御回路１３０における処理量を低減することができる。
【００９９】
（実施の形態５）
図１７−１は、実施の形態５にかかる伝送システムの構成の一例を示す図である。図１７−２は、図１７−１に示した伝送システムにおける光および電気信号の流れの一例を示す図である。図１７−１，図１７−２において、図１１−１，図１１−２，図１４−１，図１４−２に示した部分と同様の部分については同一の符号を付して説明を省略する。
【０１００】
図１７−１，図１７−２に示すように、実施の形態５にかかる制御回路１３０は、図１４−１，図１４−２に示した構成に加えて初期値記憶部１３４を備える。後方散乱検出回路１３３は、後方散乱量の初期値からの変化量（後方散乱変化量）を検出する。後方散乱検出回路１３３は、検出した後方散乱変化量を示す情報を励起光パワー制御回路１３８へ出力する。
【０１０１】
関係情報記憶部１３７は、ロス変化量および後方散乱変化量の組み合わせと、ラマン利得を一定値に保つための励起光パワーと、の関係を示す関係情報を記憶している。励起光パワーは、たとえばＬＤ１２１，１２２から出力される励起光の合計パワーである。励起光パワー制御回路１３８は、関係情報記憶部１３７に記憶された関係情報と、ロス検出回路１３１からの情報が示すロス変化量と、後方散乱検出回路１３３からの情報が示す後方散乱変化量と、に基づいて励起光パワーを導出する。
【０１０２】
このように、ロス変化量および後方散乱変化量の組み合わせと、ラマン利得を一定値に保つための励起光パワーと、の関係を示す関係情報を用いることにより、ロス位置を判定しなくても、利得が一定になる励起光パワーを導出することができる。
【０１０３】
図１８は、後方散乱変化量と励起光パワーとロス変化量との関係の一例を示す図である。図１８の縦軸は、利得を１４［ｄＢ］とするための励起光パワー［ｍＷ］を示している。図１８の横軸は後方散乱変化量［ｄＢ］を示している。図１８の励起光パワー１８０１〜１８０３は、それぞれロス変化量が０［ｄＢ］、０．５［ｄＢ］、１．０［ｄＢ］である場合の後方散乱変化量に対する励起光パワーを示している。
【０１０４】
図１７−１，図１７−２に示した関係情報記憶部１３７には、図１８の励起光パワー１８０１〜１８０３を示す関係情報が、テーブルや関数として記憶される。これにより、励起光パワー制御回路１３８は、ロス変化量および後方散乱変化量の組み合わせと、関係情報記憶部１３７に記憶された関係情報と、に基づいて、利得を一定にするための励起光パワーを導出することができる。
【０１０５】
図１９は、実施の形態５にかかる立ち上がり動作の一例を示すフローチャートである。実施の形態５にかかる制御回路１３０は、立ち上がり動作として、たとえば以下の各ステップを実行する。図１９に示すステップＳ１９０１〜Ｓ１９０７は、図１２に示したステップＳ１２０１〜Ｓ１２０７と同様である。
【０１０６】
ステップＳ１９０７のつぎに、励起光パワー制御回路１３８が、ＬＤ１２１，１２２の励起光パワーの制御を開始し（ステップＳ１９０８）、一連の立ち上がり動作を終了する。具体的には、励起光パワー制御回路１３８は、ステップＳ１９０６によって開始されたロス変化量の検出の結果と、ステップＳ１９０７によって開始された後方散乱変化量の検出の結果と、に基づいてＬＤ１２１，１２２の励起光パワーを制御する。
【０１０７】
このように、実施の形態５にかかる制御回路１３０によれば、ロス変化量および後方散乱変化量の組み合わせと、励起光パワーと、の関係を直接示す関係情報を用いることにより、利得が一定になる励起光パワーを導出することができる。このため、ロス位置を判定しなくてもラマン利得の波長特性の変動を抑えることができるため、制御回路１３０における処理量を低減することができる。
【０１０８】
以上説明したように、制御回路、制御方法および伝送システムによれば、ラマン利得の波長特性の変動を抑えることができる。
【０１０９】
上述した各実施の形態に関し、さらに以下の付記を開示する。
【０１１０】
（付記１）送信側装置から伝送路を介して受信側装置へ送信される信号光を、前記受信側装置から前記伝送路へ励起光を入力することによってラマン増幅する伝送システムの制御回路において、
前記伝送路の状態変化による前記伝送路の光損失の変化量を検出する第１検出部と、
前記励起光の後方散乱光の量を検出する第２検出部と、
前記第１検出部によって検出された前記光損失の変化量と、前記第２検出部によって検出された後方散乱光の量と、に基づいて、前記受信側装置によって前記伝送路へ入力される前記励起光の強度を制御する制御部と、
を備えることを特徴とする制御回路。
【０１１１】
（付記２）前記第１検出部によって検出された前記光損失の変化量と、前記第２検出部によって検出された後方散乱光の量と、に基づいて前記伝送路における前記状態変化が発生した位置を判定する判定部と、
前記判定部によって判定された位置を示す情報を出力する出力部と、
を備えることを特徴とする付記１に記載の制御回路。
【０１１２】
（付記３）前記第１検出部は、前記受信側装置によって前記伝送路へ入力された前記励起光の強度と、前記伝送路を通過して前記送信側装置へ入力された前記励起光の強度と、の差分に基づいて前記光損失の変化量を検出することを特徴とする付記１または２に記載の制御回路。
【０１１３】
（付記４）前記第１検出部は、第１時点における前記差分と、前記第１時点より後の第２時点における前記差分と、の差分に基づいて前記光損失の変化量を検出することを特徴とする付記３に記載の制御回路。
【０１１４】
（付記５）前記第２検出部は、前記伝送路から前記受信側装置へ入力された光のうちの前記励起光の波長成分の強度に基づいて前記後方散乱光の量を検出することを特徴とする付記１〜４のいずれか一つに記載の制御回路。
【０１１５】
（付記６）前記制御部は、前記光損失の変化量および前記後方散乱光の量の組み合わせと、前記組み合わせにおいて前記ラマン増幅による利得が所定の利得になる前記励起光の強度と、の関係を示す情報に基づいて前記励起光の強度を制御することを特徴とする付記１〜５のいずれか一つに記載の制御回路。
【０１１６】
（付記７）前記判定部は、前記光損失の変化量および前記後方散乱光の量の組み合わせと、前記伝送路における前記状態変化が発生した位置と、の関係を示す情報に基づいて前記伝送路における前記状態変化が発生した位置を判定することを特徴とする付記２に記載の制御回路。
【０１１７】
（付記８）前記励起光は、波長が異なる複数の光を合波した光であることを特徴とする付記１〜７のいずれか一つに記載の制御回路。
【０１１８】
（付記９）送信側装置から伝送路を介して受信側装置へ送信される信号光を、前記受信側装置から前記伝送路へ励起光を入力することによってラマン増幅する伝送システムの制御方法において、
前記伝送路の状態変化による前記伝送路の光損失の変化量を検出し、
前記励起光の後方散乱光の量を検出し、
検出した前記光損失の変化量と、検出した前記後方散乱光の量と、に基づいて、前記受信側装置によって前記伝送路へ入力される前記励起光の強度を制御することを特徴とする制御方法。
【０１１９】
（付記１０）伝送路を介して信号光を送信する送信側装置と、
前記送信側装置によって送信された信号光を受信し、前記伝送路へ励起光を入力することによって前記信号光をラマン増幅する受信側装置と、
前記伝送路の状態変化による前記伝送路の光損失の変化量と、前記励起光の後方散乱光の量と、に基づいて、前記受信側装置によって前記伝送路へ入力される前記励起光の強度を制御する制御回路と、
を含むことを特徴とする伝送システム。
【符号の説明】
【０１２０】
１００  伝送システム
１０１  伝送路
１１０  送信側装置
１１１，１２４  分岐カプラ
１１２，１２６  ＰＤ
１２０  受信側装置
１２１，１２２  ＬＤ
１２３  合波器
１２５  合分波器
１３０  制御回路
１３１  ロス検出回路
１３２，１３４  初期値記憶部
１３３  後方散乱検出回路
１３５，１３７  関係情報記憶部
１３６  ロス位置判定回路
１３８  励起光パワー制御回路
２００，３０１〜３０３  利得偏差特性
８０１〜８０３，９０１〜９０４，１５０１〜１５０３，１８０１〜１８０３  励起光パワー
４０１〜４０３，５０１〜５０４  後方散乱量特性
６０１〜６０３，７０１〜７０４  利得特性
１３３１  出力部
【図１−１】
0005962207.tif 000002
【図１−２】
0005962207.tif 000003
【図２】
0005962207.tif 000004
【図３】
0005962207.tif 000005
【図４】
0005962207.tif 000006
【図５】
0005962207.tif 000007
【図６】
0005962207.tif 000008
【図７】
0005962207.tif 000009
【図８】
0005962207.tif 000010
【図９】
0005962207.tif 000011
【図１０】
0005962207.tif 000012
【図１１−１】
0005962207.tif 000013
【図１１−２】
0005962207.tif 000014
【図１２】
0005962207.tif 000015
【図１３−１】
0005962207.tif 000016
【図１３−２】
0005962207.tif 000017
【図１４−１】
0005962207.tif 000018
【図１４−２】
0005962207.tif 000019
【図１５】
0005962207.tif 000020
【図１６】
0005962207.tif 000021
【図１７−１】
0005962207.tif 000022
【図１７−２】
0005962207.tif 000023
【図１８】
0005962207.tif 000024
【図１９】
0005962207.tif 000025